(57)【要約】  【課題】広告対象の情報に興味を持つネットワーカ達の間でアクセス率の高いホームページに当該広告を設定する数を増殖させるため、当該ホームページへのアクセス率の向上というインセンティブを与える。【解決手段】  コンピュータネットワーク上で情報またはサービスを提供する情報提供システムにおいて、他の情報またはサービスに関する識別情報を、その情報またはサービスの属性と共に記憶する記憶手段と、当該情報またはサービスへのアクセス中に任意に分岐する旨の命令を受けた場合、当該情報またはサービスへのアクセスに関してどの識別情報を経由してきたかを示す経由情報に基づき、記憶手段内の識別情報に任意に分岐する分岐手段とから構成される。  【選択図】    図１２
2006351022.tif 000002
【特許請求の範囲】
【請求項１】
コンピュータネットワーク上で情報またはサービスを提供する情報提供システムにおいて、
経由情報と、ランダムで決められる分岐先に分岐する指示を受け付ける手段と、
前記受け付ける手段でランダムで決められる分岐先に分岐する指示を受け付けると、情報資源が置かれた場所に関する情報と該情報資源の属性とを記録した既登録ＤＢを参照して、既登録ＤＢに受け付けた経由情報が登録されているか否かを判断する判断手段と、
前記判断手段が、受け付けた経由情報が登録されていると判断すると、前記既登録ＤＢを参照して、受け付けた経由情報と同じ属性を持つ情報資源が置かれた場所に関する情報を分岐先の候補群として抽出し、抽出した該候補群からランダムで分岐先を決定し、決定した情報資源が置かれた場所に分岐させる分岐手段と、
を有することを特徴とする情報提供システム。
【請求項２】
コンピュータネットワーク上で情報またはサービスを提供する情報提供システムにおいて、
セッションを特定する情報と経由情報とを関連づけて持つ管理テーブルを持ち、
セッションを特定する情報と、ランダムで決められる分岐先に分岐する指示を受け付ける手段と、
前記受け付ける手段が、ランダムで決められる分岐先に分岐する指示を受け付けると、前記セッションを特定する情報を元に前記管理テーブルを参照して、経由情報を抽出する経由情報抽出手段と、
情報資源が置かれた場所に関する情報と該情報資源の属性とを記録した既登録ＤＢを参照して、既登録ＤＢに前記抽出した経由情報が登録されているか否かを判断する判断手段と、
前記判断手段が、受け付けた経由情報が登録されていると判断すると、前記既登録ＤＢを参照して、受け付けた経由情報と同じ属性を持つ情報資源が置かれた場所に関する情報を分岐先の候補群として抽出し、抽出した該候補群からランダムで分岐先を決定し、決定した情報資源が置かれた場所に分岐させる分岐手段とを有することを特徴とする情報提供システム。
【請求項３】
コンピュータネットワーク上で情報またはサービスを提供する情報提供システムにおいて、
コンピュータ装置を、
経由情報と、ランダムで決められる分岐先に分岐する指示を受け付ける手段と、
前記受け付ける手段でランダムで決められる分岐先に分岐する指示を受け付けると、情報資源が置かれた場所に関する情報と該情報資源の属性とを記録した既登録ＤＢを参照して、既登録ＤＢに受け付けた経由情報が登録されているか否かを判断すると判断手段と、
前記判断手段が、受け付けた経由情報が登録されていると判断すると、前記既登録ＤＢを参照して、受け付けた経由情報と同じ属性を持つ情報資源が置かれた場所に関する情報を分岐先の候補群として抽出し、抽出した該候補群からランダムで分岐先を決定し、決定した情報資源が置かれた場所に分岐させる分岐手段
として機能させるプログラムを記録したコンピュータ装置読み取り可能な記憶媒体。
【請求項４】
コンピュータネットワーク上で情報またはサービスを提供する情報提供システムにおいて、
コンピュータ装置を、
セッションを特定する情報と、ランダムで決められる分岐先に分岐する指示を受け付ける手段と、
前記受け付ける手段が、ランダムで決められる分岐先に分岐する指示を受け付けると、前記セッションを特定する情報を元に、セッションを特定する情報と経由情報とを関連づけて持つ管理テーブルを参照して、経由情報を抽出する経由情報手段と、
情報資源が置かれた場所に関する情報と該情報資源の属性とを記録した既登録ＤＢを参照して、既登録ＤＢに前記抽出した経由情報が登録されているか否かを判断すると判断手段と、
前記判断手段が、受け付けた経由情報が登録されていると判断すると、前記既登録ＤＢを参照して、受け付けた経由情報と同じ属性を持つ情報資源が置かれた場所に関する情報を分岐先の候補群として抽出し、抽出した該候補群からランダムで分岐先を決定し、決定した情報資源が置かれた場所に分岐させる分岐手段、
として機能させるプログラムを記録したコンピュータ装置読み取り可能な記憶媒体。
【請求項５】
前記経由情報がＨＴＴＰ＿ＲＥＦＥＲＥＲであること、
を特徴とする請求項１乃至請求項２に記載の情報提供システム。
【請求項６】
前記経由情報がＨＴＴＰ＿ＲＥＦＥＲＥＲであること、
を特徴とする請求項３乃至請求項４に記載のコンピュータ装置読み取り可能な記憶媒体。
【発明の詳細な説明】
【技術分野】
【０００１】
本発明は、コンピュータネットワーク上で情報またはサービス（以下、必要に応じて「情報またはサービス」という）を提供する情報提供システムに関する。
【背景技術】
【０００２】
近年、インターネットに代表されるコンピュータネットワークの巨大化及び一般化が進み、多くの企業、団体及び個人等が、音楽、スポーツ、ビジネス、レジャー等に関する多くの情報またはサービスを、自己のホームページ等を用いて、ネットワーク上で提供するようになった。
【０００３】
企業や団体は、ビジネスあるいは販売促進目的で、自己のホームページを用いて、自社製品に関する情報（例えば、ゲーム開発会社の場合、ゲームの内容等）、自社開発のソフトウェアのダウンロードの窓口等を、提供している。
一方、個人または団体は、ホームページを用いて、新しいゲームに対する攻略法の紹介情報や次週の競馬の予想情報またはサービスの特定の趣味に関する情報を提供している。
【０００４】
以上のような企業または個人等のホームページには、そのホームページに対応する特定の興味を持った一般ネットワーカーがアクセスし、自己の興味に沿う情報を得ている。
【０００５】
したがって、特定の趣味に関し有用な情報を提供するホームページには、当該趣味を持つ一般ネットワーカーからのアクセスが集まるため、当該ホームページを広告媒体として、利用することが注目されている。
【０００６】
ネットワーク上の広告においても、ネットワーク外の実際の広告と同様に、広告対象の情報またはサービスに興味を持つ者が集まるところに、広告を掲載する方が、効率がよい。
【０００７】
したがって、このような理由から、従来、インターネット上の広告を掲載する場合においては、広告を掲載する企業等の担当者が、広告対象の情報に関して、アクセスの集中しそうなホームページを調べて、当該ホームページへの広告の掲載を、電子メールまたは電話等で、当該ホームページの所有者に依頼をしていた。
この場合、当該企業の担当者が、広告対象の情報について精通しており、広告対象の情報に関して高いアクセス率を有するホームページを知っていれば問題はない。
【０００８】
しかし、当該企業の担当者が当該情報について門外漢である場合、そのようなアクセス率の高いホームページを調査するというのは、非常に労力のいる作業である。
【０００９】
さらに、門外漢でなくとも、そのような個人の提供するホームページを知らない場合、インターネット上の検索ソフトも使えないため、調査は困難である。
インターネット上の検索ソフトの対象となるためには、ホームページのＵＲＬとホームページのジャンル（属性）を登録する必要があるが、個人のホームページは、一般に登録していないからである。
【００１０】
したがって、従来の広告の設定方法では、ネットワーク上の広告は、広告を掲載する企業の担当者個人の作業量で決定され、当該入口情報を急激に増やすことは困難であった。
【００１１】
ところで、インターネット上の広告は、デジタル情報であり、そのような情報をネットワークを介して、流通させることが可能でありる。
したがって、当該広告を、ネットワーク上のサーバにおいておき、広告を増殖させることも可能である。
【００１２】
すなわち、当該広告を当該サーバ内のホームページにアクセスしたネットワーカーに、その者のホームページに当該広告を登録してもらうことができれば、企業等の担当者の作業負担が軽減することができる。
【００１３】
また、上述したように、特定のホームページにアクセスする者は、当該ホームページのジャンルに興味を持つ者であるため、これらの者の間で、ネットワーク上の広告を増殖できれば、企業等の作業負担はより一層軽減され、かつ広告の効率もよい。
【００１４】
しかし、広告を増殖させるにしても、当該広告をホームページに設定してもらうためには、設定してもらう者に対して、何らかのインセンティブを与える必要がある。
【００１５】
一方、ホームページへの広告の掲載は、ホームページの内容の改変を伴うため、当該所有者の承認を得ることが必要である。
当該改変は、改変対象のホームページの所有者にのみ許される行為だからである。
したがって、個人のホームページは、インターネットプロバイダのサーバ内にあるが、インターネットプロバイダであっても、自己サーバ内にある他人のホームページの内容を自由に改変することができない。
【００１６】
なお、個人のホームページの改変には、当該プロバイダのサーバにアクセスする必要があるため、少なくともプロバイダとの通信を確立するための通信ＩＤとパスワードが必要となる。
【発明の開示】
【発明が解決しようとする課題】
【００１７】
したがって、本発明は、企業等の担当者が、広告対象の情報に興味を持つネットワーカー達の間でアクセス率の高いホームページを調査する労力を軽減することができる情報提供システムに関し、当該担当者の手間をかけずに当該広告の設定数を増殖させるために、当該ホームページへのアクセス率の向上というインセンティブを与えることを目的とする。
【課題を解決するための手段】
【００１８】
本発明は、この目的を達成するために、コンピュータネットワーク上で情報またはサービスを提供する情報提供システムにおいて、他の情報またはサービスに関する識別情報を、その情報またはサービスの属性と共に記憶する記憶手段と、当該情報またはサービスへのアクセス中に任意に分岐する旨の命令を受けた場合、当該情報またはサービスへのアクセスに関してどの識別情報を経由してきたかを示す経由情報に基づき、記憶手段内の識別情報に任意に分岐する分岐手段とから構成される。
【発明の効果】
【００１９】
以上の開示から明らかなように、本発明は、以下の効果を有する。
【００２０】
ホームページへの分岐を任意に行なうため、誰も参照しないということはなくなり、アクセス率を向上させることができ、従って、ホームページの開設やホームページを有する第三者による入口情報の登録についてインセンティブを与えることができ、ネットワーク上の広告を増殖させることができる。
【００２１】
本発明の実施の形態を、第１図から第１２図を用いて、以下に説明する。
なお、第１図から第９図は本発明の第一の実施の形態を、第１０図は本発明の第二の実施の形態を、第１１図および第１２図は、本発明の第三の実施の形態を示す。
【実施例１】
【００２２】
本発明の第一の実施の形態を、第１図から第９図を用いて、説明する。
【００２３】
第１図は、本発明の第一の実施の形態に係るシステム構成図を示す。
【００２４】
同図において、１はパソコンＰＣ０１を、２はモデムを表す。
【００２５】
なお、同図においては、モデム２を、パソコンＰＣ０１と別筐体として描いたが、同一筐体内になる場合もある。
【００２６】
また、３は、インターネットプロバイダのサーバＩＰ０１を表す。
【００２７】
同サーバは、電話回線等のアナログ回線５を介して、パソコン１のモデム２と接続されている。
【００２８】
インターネットプロバイダのサーバ３（ＩＰ０１）は、ＩＳＤＮ等のデジタル回線６およびインターネット７を介して、情報またはサービスを提供するサーバ４（Ｔ０１）と接続されている。
【００２９】
また、サーバ３（ＩＰ０１）は、一般に、アナログ回線との通信を行なうモデム３１、個人のホームページのソースや会員情報を管理する管理データベース３２、当該管理データベース３２の情報を用いて、会員のアクセス等を制御管理する管理ソフト３３、当該会員からのインターネットへのアクセスを媒介するコミュニケーションサーバ３４から構成される。
【００３０】
一方、サーバ４（Ｔ０１）は、ｈｔｔｐｄ（ｈｔｔｐデーモン）４１とｃｇｉプログラム４２とからなる。
【００３１】
ｈｔｔｐデーモンは、サーバＴ０１を管理するプロセスであり、利用者からのｈｔｔｐの要求を受け付け、利用者に直接制御させるべきでないシステム制御を行なうルーチンである。
【００３２】
また、ｃｇｉプログラム４２は、ｃｇｉ（コモン・ゲートウェイ・インターフェース）を有するプログラムであり、利用者の要求に対して、種々のサービスを提供する。
【００３３】
なお、本発明を構成する各手段は、管理ソフト４４およびハードディスク４５に対応するもののほか、管理ソフト３３および管理データベース３２に対応するものであってもよい。
【００３４】
以下の例では、本発明を構成する各手段は、管理ソフト４４およびハードディスク４５に対応するものとして、説明する。
【００３５】
第２図は、本発明の動作を説明するフローチャートを示す図である。
本発明の動作を、第２図のフローチャートに従い、簡単に説明する。
具体的には、パソコンＰＣ０１の所有者が、サーバＴ０１で提供されるサービスＺの入口情報を、インターネットプロバイダＩＰ０１下にある自己のホームページに設定する場合について説明する。
【００３６】
（Ｓ０１）パソコンＰＣ０１からインターネットプロバイダのサーバＩＰ０１に対して、通信ＩＤとパスワードを送信し、両者の間の通信を確立する。
【００３７】
（Ｓ０２）次に、一般には、プロバイダのサーバ３を介して種々のホームページを見回ったあと、本発明に係るサーバ４内のホームページにアクセスする。
アクセス時に、一般に、パソコンＰＣ０１は、サーバＴ０１に対して、どのサーバを経由してサーバＴ０１にアクセスしたかを示すＨＴＴＰ＿ＲＥＦＥＲＥＲという変数（実体は、ＵＲＬ）を送信する。
【００３８】
例えば、パソコンＰＣ０１がＵＲＬ"ｈｔｔｐ：／／ｗｗｗ．ｂｅｅｆ．ｐｒｏｖｉｄｅｒ−ａ．ｏｒ．ｊｐ／ａ０１／ｐｃ０１．ｈｔｍ"で指定されるホームページからサーバＴ０１にアクセスした場合は、当該ＵＲＬを、変数ＨＴＴＰ＿ＲＥＦＥＲＥＲという変数に代入して、サーバＴ０１に対して、送信する。
なお、この例では、上記ＨＴＴＰ＿ＲＥＦＥＲＥＲは、パソコンＰＣ０１の所有者のホームページを示している。
【００３９】
（Ｓ０３）管理ソフト４４は、当該アクセスに対して、通信（セッション）を識別するためのセッションＩＤを付与し、上述の変数ＨＴＴＰ＿ＲＥＦＥＲＥＲと共に管理する（第４図）。
【００４０】
同図によると、パソコンＰＣ０１の当該アクセスに対して、セッションＩＤとして、「６８００７５」が付与され、Ｓ０２で受信した変数ＨＴＴＰ＿ＲＥＦＥＲＥＲと共に管理している。
【００４１】
パソコンＰＣ０１の当該通信は、同一セッション中当該セッションＩＤをサーバＴ０１に対して送信することにより、他のセッションＩＤをもつ通信と区別される。
【００４２】
（Ｓ０４）管理ソフト４４は、サービスＺに対する入口情報を登録したか否かを示す既登録データベース（第６図）に登録されている否かを判定する。
具体的には、管理ソフト４４は、ＨＴＴＰ＿ＲＥＦＥＲＥＲのＵＲＬが既登録データベース（第６図）内に存在するか否かを判定する。
【００４３】
第６図に示す情報は、ハードディスク４５内で管理されている。
【００４４】
例えば、第６図において、管理番号０００１に対応するＵＲＬは、"ｈｔｔｐ：／／ｗｗｗ．ｐｒｏｖｉｄｅｒ−ａ．ｏｒ．ｊｐ／ａ０１／ｐｃ１０．ｈｔｍ"であり、当該ホームページの内容は、「ＰＯＰＳ」に関し、当該ホームページの所有者、つまり、当該内容の改変について権限を有する者のｅ−ｍａｉｌアドレス「ｐｃ１０ｔｏｍａｔｏ．ｐｒｏｖｉｄｅｒ−ａ．ｏｒ．ｊｐ」を管理していることを示す。
【００４５】
第６図の既登録データベースの内容は、第５図に示す、ホームページへの入口情報の設定画面において、入力された内容に基づく（第５図については後述する）。
【００４６】
（Ｓ０５）既に登録されているホームページからアクセスした場合には、登録済に対応するコンテンツに分岐する。
【００４７】
登録済に対応するコンテンツとは、例えば、既に登録されているホームページからアクセスした者に対するプレミアム・コンテンツ等が該当する。
【００４８】
（Ｓ０６）一方、未だ登録されていないホームページからアクセスした場合には、未登録に対応するコンテンツに分岐する。
【００４９】
ＰＣ０１のセッションＩＤ「６８００７５」に対応するＨＴＴＰ＿ＲＥＦＥＲＥＲは、既登録データベース（第６図）に、登録されていないものとして説明する。
【００５０】
（Ｓ０７）具体的には、登録を勧める画面、すなわち、サービスＺへの入口情報を設定するホームページのＵＲＬ、その属性（例えば、野球、サッカー等のジャンル）および当該ホームページの所有者（つまり、当該ホームページのソースの改変をすることができる者）のｅ−ｍａｉｌアドレスを登録させる画面に分岐する（第５図）。
【００５１】
登録されたこれらの情報は、ユニークな管理番号を付与され、ハードディスク４５内の既登録データベース（第６図）に登録される。
【００５２】
具体的には、第５図の画面において、パソコンＰＣ０１の所有者は、サービスＺへの入口情報を、自己のホームページに登録するため、必要な事項を登録する。
必要な事項として、同図において、ＰＣ０１の所有者のホームページのＵＲＬ"ｈｔｔｐ：／／ｗｗｗ．ｂｅｅｆ．ｐｒｏｖｉｄｅｒ−ａ．ｏｒ．ｊｐ／ａ０１／ｐｃ０１．ｈｔｍ"、そのジャンル（属性）である「ｊａｚｚ」および当該ホームページの所有者のｅ−ｍａｉｌアドレスである「ｐｃ０１ｔｏｍａｔｏ．ｐｒｏｖｉｄｅｒ−ａ．ｏｒ．ｊｐ」、その他の必要な事項を書き込み、同図の「Ｓｕｂｍｉｔ」ボタンをクリックすることにより、その内容を、サーバＴ０１に対して、送信する。
【００５３】
（Ｓ０８）管理ソフト４４は、デジタル回線６およびインターネット７を介して、登録されたＵＲＬで指定されるサーバＩＰ０１内の場所から、当該ソースを、ｈｔｍｌ形式で取得し、当該取得したソースにサービスＺへの入口情報を付加する（第３図、第７図が対応し、後述する。）。
【００５４】
これにより、入口情報の登録は第三者が行なうため、サービスＺの提供企業の担当者の労力を軽減することができる。
【００５５】
次に、第３図を用いて、サービスＺへの入口情報を付与したホームページのソースを、どのようにして、サーバＩＰ０１内に反映させるかを説明する（第２図Ｓ０８に相当する）。
【００５６】
（Ｓ０８１）管理ソフト４４は、第２図のＳ０７で登録されたＵＲＬ"ｈｔｔｐ：／／ｗｗｗ．ｂｅｅｆ．ｐｒｏｖｉｄｅｒ−ａ．ｏｒ．ｊｐ／ａ０１／ｐｃ０１．ｈｔｍ"に基づき、インターネットプロバイダＩＰ０１内の管理データベース３２にあるｈｔｍｌ形式で記述されたソースを、デジタル回線６およびインターネット７を介して、ｈｔｍｌ形式で取得する。
【００５７】
当該取得したソースの例は、第７図右上部に示す「書き換え前のソース」が該当する。
【００５８】
当該ソースには、まだ、サービスＺへの入口情報は付加されていない。
【００５９】
このことが、当該書き換え前のソースをインターネットブラウザを介して参照したホームページの態様を示す第７図左上部に示されている。
【００６０】
（Ｓ０８２）管理ソフト４４は、取得したソースの適当な位置に、サービスＺへの入口情報に関する情報を付加する。
【００６１】
第７図は、管理ソフト４４が、どのようにして、取得したｈｔｍｌ形式のソースに、サービスＺの入口情報を付加するかを示している。
【００６２】
第７図の左上部は、書き換え前のＰＣ０１の所有者のホームページを示している。
【００６３】
同図右上部は、そのホームページのｈｔｍｌ形式で書かれたソースを示している。
【００６４】
当該ｈｔｍｌソースを取得した管理ソフト４４は、当該ソースに、Ｓ０７で入力されたジャンルと同じジャンルをもつ入口情報をハードディスク４５内のデータ（第１３図）を検索する。
【００６５】
第１３図は、ハードディスク４５内にある入口情報を管理するデータベースの構造を示す。
【００６６】
当該データベースは、同図に示すように、入口情報のボタンの役割をするｇｉｆファイル（イメージファイル）、当該ボタンをクリックすることにより分岐する分岐先のＵＲＬおよび掲載してほしいホームページのジャンル等を、管理する。
【００６７】
この例では、Ｓ０７において、ジャンル「ｊａｚｚ」が入力されていることから、管理ソフト４４は、当該データベース（第１３図）から、同じジャンルに属するデータ、「ｉｒｉｇｕｃｈｉ．ｇｉｆ」というレコードのデータを検出する。
管理ソフト４４は、当該検索結果に基づいて、第７図に示すように、Ｓ０８１で取得したソースを書き換える。
【００６８】
すなわち、管理ソフト４４は、検索結果のＵＲＬへ分岐する入口情報を、取得したソースの適当な位置（同図の例は、タグ＜／ｈｔｍｌ＞の直前の右端に入口情報を設定する場合を示す。）に挿入する旨のタグ（同図の例では、＜ｒｉｇｈｔ＞に相当する。）と共に付加する。
【００６９】
サーバＴ０１が付加したソースは、「ｉｍｇ  ｓｒｃ＝」に続くＵＲＬで指定されるイメージファイルがクリックされた場合、「ａ  ｒｅｆ＝」に続くＵＲＬに飛ぶことを意味する。
【００７０】
なお、入口情報を左側に付す場合はタグ＜ｌｅｆｔ＞を、中央に付す場合はタグ＜ｃｅｎｔｅｒ＞を、当該ソースに付する。
【００７１】
（Ｓ０８３）管理ソフト４４は、書き換えたｈｔｍｌ形式のソース（この例では、第７図右下部の「書換え後のソース」に対応）に承認ボタンを付加し、当該承認ボタンがクリックされた場合には、第２図Ｓ０７（第５図の画面）で取得したＵＲＬに対して、当該書き換えたｈｔｍｌ形式のソースをｆｔｐで送信する旨のＪａｖａ（米国Ｓｕｎ  Ｍｉｃｒｏｓｙｓｔｅｍｓ社の商標です。
）のアプレットを、同じく第２図Ｓ０７（第５図の画面）で取得したｅ−ｍａｉｌアドレスに送付する。
【００７２】
（Ｓ０８４）当該アプレットを受信したパソコンＰＣ０１の画面には、第８図に示すダイヤログボックスが表示され、当該パソコンの所有者に対して、ホームページのソースの書き換えについて、承認するか否かを問う。
第８図においては、「ＹＥＳ」ボタンが承認ボタンに相当する。
【００７３】
この例では、Ｓ０８２で該当する入口情報が一しかない場合を考えているため、第８図は、一の承認ボタンが付与されているにすぎない。
【００７４】
しかし、一般には、Ｓ０８２において該当する入口情報が二以上存在する。
したがって、複数の入口情報を設定する場合には、入口情報毎に承認ボタンを設けてもよいし、全部設定するかしないかの一括の承認ボタンを付与してもよい。
【００７５】
また、同図に示すように、アプレットは、プロバイダＩＰ０１にアクセスするための通信ＩＤおよびパスワードの入力を求める。
【００７６】
この通信ＩＤ等の入力は、第一の実施の形態のような、ＨＴＴＰ＿ＲＥＦＥＲＥＲと書き換えるＵＲＬが一致する場合には、必ずしも入力を求める必要はない。
【００７７】
パソコンＰＣ０１とインターネットプロバイダＩＰ０１間の通信は、既に確立され（第２図Ｓ０１）、同プロバイダについての通信ＩＤとパスワードは入力済だからである。
【００７８】
この通信ＩＤ等の入力は、後述する第二の実施の形態のように、ＨＴＴＰ＿ＲＥＦＥＲＥＲと書き換え対象のＵＲＬが異なるサーバに属する場合等に必要となる。
【００７９】
なお、承認ボタンを押さない場合、当該アプレットは、処理を終える。
したがって、管理ソフト４４に書き換えられたソースは、管理データベース３２には、反映されない。
【００８０】
（Ｓ０８５）前記アプレットは、第８図のダイヤログボックス内の「Ｓｕｂｍｉｔ」ボタンがクリックされると、同ダイヤログボックスで入力された通信ＩＤとパスワードを、前記書き換えたソースに付加する。
【００８１】
（Ｓ０８６）アプレットは、当該通信ＩＤ等を付加した書き換えたソースを、ファイルとして、ｆｔｐで、前記ＵＲＬで指定される位置に送信する。
【００８２】
（Ｓ０８７）当該ファイルを受けた管理ソフト３３は、通信ＩＤおよびパスワードのチェックにより、ホームページの改変権限を確認した後、当該ファイルに添付されている、サービスＺへの入口情報を付加したｈｔｍｌ形式のソースを、入口情報の付加されていないｈｔｍｌ形式のソースの位置に上書きして、当該内容を更新する。
【００８３】
第９図は、サービスＺへの入口情報の設定前後のインターネットプラウザを介して参照した、ＰＣ０１の所有者のホームページを示す。
【００８４】
同図において、設定前後の相違点は、同ホームページ内の右下部になる「サービスＺ」への入口を示すイメージファイルが付加されている点にある。
この相違は、第７図の「サーバＴ０１が追加した部分」に相当し、第９図の「サービスＺ」への入口ボタンは、第７図の"ｃｇｉ−ｂｉｎ／ｉｒｉｇｕｃｈｉ．ｇｉｆ"のイメージに相当する。
【００８５】
なお、ここでは、自己のホームページから経由する場合を説明したが、他人のホームページから経由する場合であってもよい。
【００８６】
その場合には、当該ホームページ等の情報から、ホームページの所有者の宛先（具体的には、ｅ−ｍａｉｌのアドレス）を得ておくことが必要である。
第５図の申込画面では、当該他人のホームページのＵＲＬ及びｅ−ｍａｉｌアドレス等を入力し、当該他人にホームページの改変について承認を得るためである。
【実施例２】
【００８７】
第１０図は、本発明の第二の実施の形態に係るシステム構成図を示す。
同図において、第１図と同じ符号を付したものは、同一対象を示す。
第１０図は、パソコンＰＣ０１の所有者が複数のインターネットプロバイダＩＰ０１、ＩＰ０２と契約している場合を示す。
【００８８】
この場合、パソコンＰＣ０１の所有者がインターネットプロバイダＩＰ０１を経由してサーバＴ０１にアクセスし、インターネットプロバイダＩＰ０２の管理データベース３２内にある自己のホームページＨＰ０２を改変するシステム構成図を示す点で、これらは同じであった本発明の第一の実施の形態を示す第１図と相違する。
【００８９】
すなわち、第１０図は、ＨＴＴＰ＿ＲＥＦＥＲＥＲと更新対象のホームページのＵＲＬとが異なる場合を示す。
【００９０】
同図において、パソコンＰＣ０１の所有者は、インターネットプロバイダＩＰ０２配下の自己または他人のホームページＨＰ０２を経由して、本発明に係るソフトウェアをインストールしたサーバＴ０１で提供されるサービスＺを受け、さらに、インターネットプロバイダＩＰ０１配下の自己のホームページＨＰ０１に、サービスＺへの入口情報を設定する場合を説明する。
【００９１】
この場合、本発明の第一の実施の形態で既に説明した内容と、基本的に変わるところはない。
【００９２】
したがって、サーバＴ０１内のハードディスク４５内では、セッションＩＤとＨＴＴＰ＿ＲＥＦＥＲＥＲ（経由情報）が第４図に示すように管理され、また、既登録のＵＲＬ等が第６図に示すように管理されている。
【００９３】
但し、この場合、経由情報として、ＨＴＴＰ＿ＲＥＦＥＲＥＲに格納されるのは、インターネットプロバイダＩＰ０２下のホームページＨＰ０２のＵＲＬであり、第５図の設定画面で入口情報の設定対象として入力するホームページのＵＲＬは、インターネットプロバイダＩＰ０１下のホームページＨＰ０１のＵＲＬである点で、第一の実施の形態と異なる。
【００９４】
その他の異なる点は、書き換えたホームページＨＰ０１のソースをＪａｖａ（登録商標）のアプレットと共に受信した場合（第８図）の入力事項である。
この場合、パソコンＰＣ０１は、インターネットプロバイダＩＰ０２を経由してサーバＴ０１にアクセスしているため、インターネットプロバイダＩＰ０２との間の通信は既に確立している。
【００９５】
しかし、書き換えたホームページＨＰ０１のソースがある場所は、通信が確立されていないインターネットプロバイダＩＰ０１下にある。
【００９６】
したがって、この場合は、第８図に示すように、インターネットプロバイダＩＰ０１にアクセスするために必要となる通信ＩＤとパスワードの入力を受け付ける必要がある。
【００９７】
この点で、通信ＩＤ等の入力が任意である第一の実施の形態と異なる。
【００９８】
その他の点において、第二の実施の形態の内容は、既に説明した第一の実施の形態の内容と同様である。
【００９９】
なお、第１０図においては、経由するホームページは、インターネットプロバイダ下の個人のホームページであるとして説明したが、サーバを有する企業または団体の提供するホームページであってもよいことは、言うまでもない。
【０１００】
さらに、同図において、入口情報の設定対象となるホームページは、インターネットプロバイダ下の個人のホームページであるとして説明したが、サーバを有する企業または団体の提供するホームページであってもよいことはいうまでもない。
【０１０１】
第１１図は、本発明の第三の実施の形態に係る動作を説明するフローチャートを示す。
【０１０２】
この場合のシステム構成図は、第１図または第１０図に示すシステム構成図のいずれであってもよい。
【実施例３】
【０１０３】
本発明の第三の実施の形態とは、具体的には、サーバＴ０１下のホームページにアクセス中に任意に分岐する旨の命令を管理ソフト４４が受けた場合の経由情報と同じ属性をもつＵＲＬに、任意に分岐させる形態である。
【０１０４】
この実施の形態では、任意に分岐させ、ホームページのアクセス率を向上させることができるため、ホームページを開設しようとする者にとっては、開設の動機づけとなる。
【０１０５】
一方、任意の分岐コマンドを発した者にとっては、任意に分岐するとはいっても、経由情報、つまりその者の興味があると思われる情報に基づき分岐させるため、期待外れは少なく、また新しい発見をすることができ好ましい。
【０１０６】
以下、第１図のシステム構成図に出てくる番号等および第２図から第９図の内容を用いて、第三の実施の形態の動作を説明する。
【０１０７】
（ＳＴ０１）サーバＴ０１下のホームページは、その適当な箇所に、任意の分岐命令である「リトライボタン」を設ける。
【０１０８】
パソコンＰＣ０１の所有者が「リトライボタン」を同画面上でクリックして、サーバＴ０１に対して送信すると、管理ソフト４４は、任意の分岐命令が発せられたと認識する。
【０１０９】
（ＳＴ０２）管理ソフト４４は、このセッションに対して付与されるセッションＩＤに基づき、第４図に示す管理データから、当該セッションの経由情報を求める。
【０１１０】
例えば、セッションＩＤが「６７００７５」の場合、管理ソフト４４は、経由情報「ｈｔｔｐ：／／ｗｗｗ．ｂｅｅｆ．ｐｒｏｖｉｄｅｒ−ａ．ｏｒ．ｊｐ／ａ０１／ｐｃ０１．ｈｔｍ」を得る。
【０１１１】
（ＳＴ０３）次に、管理ソフト４４は、既登録データベース（第６図）に、ＳＴ０２で求めた経由情報がある否かを判定する。
【０１１２】
（ＳＴ０４）管理ソフト４４は、ＳＴ０２で求めた経由情報が既登録データベースにない場合は、登録を勧める画面等に分岐する。
【０１１３】
（ＳＴ０５）一方、管理ソフト４４は、ＳＴ０２で求めた経由情報が既登録データベースにある場合、同データベースから取得した当該経由情報の属性に基づき、同データベース内の同じ属性をもつＵＲＬを抽出し、連続番号を付与し、ハードディスク４５内で管理する。
但し、抽出するＵＲＬは、当該経由情報自体は除かれる。
【０１１４】
第１２図は、抽出する条件として、属性が「ｊａｚｚ」である場合の管理例を示す。
【０１１５】
同図の左部は、該当するＵＲＬを抽出したワークのデータベースを示す。
同データベースは、管理のために用いられる連続番号と既登録データベース（第６図）の該当レコードを指すポインタとから構成される。
【０１１６】
ワークのデータベースは、第１２図に示すように、リトライボタンをクリックしたセッションのＩＤ毎に作成される。
【０１１７】
（ＳＴ０６）管理ソフト４４は、ワークのデータベースの連続番号の範囲内で乱数を発生させる。
第１２図の具体例では、同データベースのレコード数が５３１件であるので、１から５３１の範囲内で乱数を発生させる。
【０１１８】
（ＳＴ０７）管理ソフト４４は、一の乱数を決定し、当該乱数に対応する連続番号を持つＵＲＬを特定する。
【０１１９】
管理ソフト４４は、前記セッション（セッションＩＤ＝「６８００７５」）に対して、当該ＵＲＬに飛ぶ旨のｈｔｍｌ形式ソースを送る。
【０１２０】
その後、管理ソフト４４は、セッションを終了したセッションＩＤ「６８００７５」に関するレコードを、第４図に示す管理データから削除する。
【０１２１】
一方、当該ソースを受信したインターネットブラウザは、当該ソースを解釈し、指定されたＵＲＬに飛ぶ。
【０１２２】
なお、第一の実施の形態においては、企業内ＬＡＮを経由して、当該企業のサーバ内の自己のホームページに、広告を設定してもよい。
また、第二の実施の形態においては、利用者が、企業内ＬＡＮを経由して、インターネットプロバイダ下の自己のホームページに入口情報を設定する場合であってもよい。
【０１２３】
第１４図は、本発明に係るプログラムを格納した記録媒体を示す図である。
同図において、１０１はサーバであり、第１図のサーバ４（サーバＴ０１）に相当するものである。
【０１２４】
本発明に係るプログラムは、上述したように、サーバ１０１の主記憶にロードされて実行されるものである。
【０１２５】
１０２は本発明に係るプログラムを記録したフロッピ・ディスケット等の可搬型記録媒体を示し、ＣＤ−ＲＯＭ、ＭＯ等いずれでもよい。
【０１２６】
この場合、当該プログラムは、当該記録媒体からサーバ１０１の主記憶にロードされ、実行される。
【０１２７】
１０３はコンピュータネットワーク上にあるインターネットプロバイダ等のハードディスクを示し、サーバ１０１と通信回線１０４を介して接続されている。
本発明に係るプログラムは、ハードディスク１０３内に記憶される。
【０１２８】
この場合、当該プログラムは、当該ハードディスク１０３からサーバ１０１にダウンロードされ、サーバ１０１の主記憶にロードされて実行される。
【０１２９】
これらの場合の当該プログラムの機能・動作は、上述したとおりであるため、省略する。
【図面の簡単な説明】
【０１３０】
【図１】本発明の第一の実施の形態に係るシステム構成図を示す。
【図２】第一の実施の形態の動作を説明するフローチャートを示す。
【図３】ホームページへの入口情報の設定を説明するフローチャートを示す。
【図４】セッションＩＤと経由情報（ＨＴＴＰ＿ＲＥＦＥＲＥＲ）のデータ管理図を示す。
【図５】入口情報の設定を申し込むための画面を示す。
【図６】既登録ＵＲＬの管理例を示すデータ構造図を示す。
【図７】管理ソフト４４によるｈｔｍｌ形式ソースへの入口情報の付加を説明する図を示す。
【図８】Ｊａｖａ（登録商標）アプレットを受信したパソコンＰＣ０１に表示される画面例を示す。
【図９】入口情報の設定前後のホームページの態様を表す図を示す。
【図１０】本発明の第二の実施の形態に係るシステム構成図を示す。
【図１１】本発明の第三の実施の形態に係る動作を説明するフローチャートを示す。
【図１２】抽出したＵＲＬを管理するデータベースのデータ構造図を示す。
【図１３】入口情報を管理するデータベースのデータ構造図を示す。
【図１４】本発明に係るプログラムを格納した記録媒体を示す図を示す。
【図１】
2006351022.tif 000003
【図２】
2006351022.tif 000004
【図３】
2006351022.tif 000005
【図４】
2006351022.tif 000006
【図５】
2006351022.tif 000007
【図６】
2006351022.tif 000008
【図７】
2006351022.tif 000009
【図８】
2006351022.tif 000010
【図９】
2006351022.tif 000011
【図１０】
2006351022.tif 000012
【図１１】
2006351022.tif 000013
【図１２】
2006351022.tif 000014
【図１３】
2006351022.tif 000015
【図１４】
2006351022.tif 000016